(57)【要約】【課題】スポーツ施設へのアクセスを制御する方法を提供する。【解決手段】スポーツ施設に入場する際に、読み取り手段２が読み取るアクセス特典データを記憶した利用者が携行する非譲渡性データ記憶媒体５に加え、地表近くの利用者のスポーツ用品にデータ記憶媒体６を配置する。データ記憶媒体６は、スポーツ施設の入り口１の地表近くに配置したアンテナ８で読み取る管理データを記憶している。入場の際に非譲渡性データ記憶媒体５から読み取られたアクセス特典データは、プログラム論理により、入場の際に地表近くのデータ記憶媒体６から読み取られた管理データと組み合わされて記憶される。後の入場のたびに、読み取り手段２とアンテナ８により、非譲渡性データ記憶媒体５と地表近くのデータ記憶媒体６からアクセス特典データと管理データとが新たに夫々読み取られ、記憶された組合せデータと一致しない場合は入り口１が閉じられる。【選択図】図１
2008293497.tif 000002
【特許請求の範囲】
【請求項１】
スポーツ施設に入場する際、入り口の読み取り手段により読み取るアクセス特典データを記憶した、利用者が携行する非譲渡性データ記憶媒体を含むスポーツ施設アクセス制御方法において、
少なくとも一つの追加データ記憶媒体を地表近くの前記利用者のスポーツ用品に配置して、入場の際に、前記スポーツ施設の入り口近くの地表区域に取り付けたアンテナにより読み取る管理データを記憶し、
入場の際に前記非譲渡性データ記憶媒体から読み取った前記アクセス特典データを、プログラム論理により、入場の際に前記地表近くのデータ記憶媒体から読まれた前記管理データと組み合わせて記憶し、
後の入場の際に、前記アンテナを使用して前記非譲渡性データ記憶媒体と前記地表近くのデータ記憶媒体から前記アクセス特典データと前記管理データとを夫々読み取り、前記記憶された組合せデータと一致しない場合は前記入り口を閉じる、ことを特徴とするスポーツ施設アクセス制御方法。
【請求項２】
前記非譲渡性データ記憶媒体の前記アクセス特典データと前記地表近くのデータ記憶媒体の前記管理データは、前記利用者が前記スポーツ施設に初めて入場する際に互いに組み合わせて記憶する、ことを特徴とする請求項１のスポーツ施設アクセス制御方法。
【請求項３】
前記非譲渡性データ記憶媒体の前記アクセス特典データと前記地表近くのデータ記憶媒体の前記管理データは、前記利用者が後に入場するたびに読み取り、最初の入場の際に記憶された組合せデータと合致するかテストする、ことを特徴とする請求項１のスポーツ施設アクセス制御方法。
【請求項４】
前記地表近くのデータ記憶媒体の前記管理データは、前記スポーツ用品ないし前記データ記憶媒体固有のものである、ことを特徴とする請求項１ないし３のいずれか記載のスポーツ施設アクセス制御方法。
【請求項５】
前記非譲渡性データ記憶媒体は、非接触型データ記憶媒体からなり、前記非譲渡性データ記憶媒体から前記アクセス特典データを読み取る前記読み取り手段は、前記地表近くのデータ記憶媒体を読み取るアンテナを同時に形成する前記アンテナを備える、ことを特徴とする請求項１ないし４のいずれか記載のスポーツ施設アクセス制御方法。
【発明の詳細な説明】
【技術分野】
【０００１】
本発明は、請求項１の前置き特徴部分で定義するように、特に非譲渡性のデータ記憶媒体を使用して、スキーリフトなどのウィンタースポーツ施設へのアクセスを制御する方法に関する。
【背景技術】
【０００２】
スキーリフトや同様の個人的な輸送システムでは、１回の搭乗用の譲渡可能なカードあるいは数人が１回または数回搭乗できるポイントクレジットカードに加え、ウィンタースポーツ分野では、使用が各個人に限られた非譲渡可能なカードないし同様のデータ媒体がしばしば発行されている。それらのカードは大部分、数日または１回の完全なシーズンといった延長有効期間を持っている。大部分の非譲渡性カードないしデータ記憶媒体は、短期用のものよりもかなり安い価格で販売されるので、数人の間でまわして不正使用されるというリスクがある。
【０００３】
このリスクをさけるため、正当な所持者の写真をデータ記憶媒体に貼付することがある。スキーパスとも称する、そのようなデータ記憶媒体を作成するにはかなりの費用、特に時間がかかり、売り場で長い待ち行列ができることになる。
【０００４】
更にウィンタースポーツ施設に入ろうとしている利用者を、データ記憶媒体の写真を視覚的にチェックするため、施設のアクセスポイントに人員を配置しなければならない。そのような視覚的なチェックはしばしば過剰に思われ、不快に感じられることがある。このため、チェックは無作為の抽出ベースだけで行われ、従って包括的ではない。
【０００５】
アクセスポイントでそのような人員が視覚的にモニタするのを利用者にとって目立たなくするため、写真をディジタル化し、それをデータベースに記憶し、アクセスポイントに隣接したモニタスクリーンでそれを表示することが知られている。ここでも、売り場で写真を作成するのにかかる時間は依然、許されがたい事実とは別に、チェックは抽出したものに限られる。
【０００６】
更に施設のアクセスポイントにディジタルカメラを設置して、利用者が施設に最初に入った時に最初の写真を取ることが知られている。最初の写真は、アクセスポイントで読み取り手段が読み取る非譲渡性データ記憶媒体上のアクセス特典データと共にデータベースに記憶され、所有者が後にその施設に入ろうとした時にディジタルカメラで取られる別の写真と対照される（特許文献１参照）。これにより売り場でデータ記憶媒体を作成する必要はなくなるが、写真の視覚的な検査がなくなるわけではない。
【０００７】
特許文献２は、スキー施設のアクセス特典データを、スキーに貼付した非接触データ記憶媒体に記憶し、施設の入り口スペース内の敷地にアンテナを設けて、それらのデータ記憶媒体に記憶されたアクセス特典データをチェックすることを教示している。
【０００８】
特許文献３は、スキーの盗難を防ぐため、スキーに非接触データ記憶媒体を配置することを教示している。特許文献４は、利用者がアクセス特典データを記憶したデータ記憶媒体を持ち、貸し出しスキーが同一のアクセス特典データを持ち、２つのデータ記憶媒体を読み取り、読み取られた２つのデータが合致しなければアクセスが拒否される、ウィンタースポーツ装置のレンタルシステムを開示している。
【０００９】
【特許文献１】欧州特許公開１６４７９１８号公報
【特許文献２】オーストリア実用新案６０１号公報
【特許文献３】フランス特許公開２７７８９７８号公報
【特許文献４】ドイツ特許１００１９６９号公報
【発明の開示】
【発明が解決しようとする課題】
【００１０】
本発明の目的は、スポーツ施設へのアクセスを得ることを目的とした非譲渡性のデータ記憶媒体の不正な使いまわしを防ぐ効率的かつ簡単な方法を提供することである。
【課題を解決するための手段】
【００１１】
本発明によると、この目的は、請求項１の特徴部分で定義された方法により達成される。本発明の更なる展開は従属項で提示されている。
【００１２】
利用者が携帯する非譲渡性データ記憶媒体は、バーコード、磁気片、あるいは電子チップのついたチケットでもよい。チップは接触するもの、あるいはアンテナを備えたチップ、即ち特にトランスポンダといった非接触型データ記憶媒体とすることができる。例えば非接触型データ記憶媒体は、腕時計または利用者が装着する手袋などの布片に配備することができる。データ記憶媒体が非接触型の場合は、読み取り手段はアンテナを備え、好適には、ひざと頭の高さの間の高さで利用者が携帯するデータ記憶媒体を安全に検出するように設計されたコイル形のアンテナを備える。一人だけが、その人物に関する非譲渡性データ記憶媒体を持つことができる。そのため、非譲渡性データ記憶媒体には、アクセス特典データとして、有効期間などに加えて、名前あるいは承認された人物特有の他のデータを記憶することができる。
【００１３】
本発明で使用する追加データ記憶媒体は、スポーツを行なうため地表近くで利用者が携帯する用具部分、即ちひざより下の高さ、特にその人の足以下の高さに設ける。
【００１４】
このため、ウィンタースポーツ用品の使用を想定して、追加のデータ記憶媒体は、スキーの片方ないし両方、スノーボード、スキー靴の片方ないし両方、あるいはスノーボード靴の両方ないし片方、つま先ないしかかとのクランプを結合する部品あるいはバインダー板、スキーブレーキないし、片方ないし両方のスキースティックや、そりその他のスポーツ用品に設けることができる。
【００１５】
地表近くで使用する更なるデータ記憶媒体は、地表近くに配置したアンテナで読み取り、コイルの形に設計したトランスポンダなどの、非接触データ記憶媒体とすることができる。付随アンテナは、スキーリフトその他のスポーツ施設の地面ないし床に埋め込むことができる。同様に、例えばブラシ状の毛からなるスキー用のスライド面を持つマットに組み込んで地表に配置することもできる。
【００１６】
アンテナを地表に直接配置する必要はなく、代わりに入り口区域を側方で仕切る柵の下部に配置することができる。非譲渡性のデータ記憶媒体も非接触性のものであれば、即ちアンテナを使用して読み取り手段により読み取ることができれば、そのアンテナは、非譲渡性データ記憶媒体に使用するアンテナと同じ読み取り装置に地表近くで接続できる。地表区域に配置したアンテナに接続した第２の読み取り装置を設けることも同じくできる。
【００１７】
非譲渡性データ記憶媒体が非接触型の場合、その媒体からアクセス特典データを読み取るのに使用する読み取り手段は、地表区域に延長したアンテナを備えて、地表近くのデータ記憶媒体を読み取るのに使用するアンテナを等しく形成できる。
【００１８】
更に地表近くの非接触性データ記憶媒体の管理データは、スポーツ用品のそれぞれの品目に特有のデータ、例えばスポーツ用品の製造業者や連続番号、あるいはデータ記憶媒体に組み込まれた電子チップの連続番号などの非接触データ記憶媒体特有のデータで構成できる。
【００１９】
利用者がスポーツ施設に入ると、非譲渡性データ記憶媒体から読み取り手段により読み込まれたアクセス特典データは、プログラム論理を使用したコンピュータにより、入場時に地表近くのデータ記憶媒体から読み取られた管理データと組み合わされ、例えば読み取り手段と接続されたコンピュータやデータベースに記憶される。プログラム論理により組み合わされたデータは、非譲渡性データ記憶媒体の利用者の名前などの利用者特有のデータと、スポーツ用品あるいは地表近くのデータ記憶媒体特有のデータとを共に含んで構成される。
【００２０】
後に利用者が施設に入る際、読み取り手段により読み込まれた非譲渡性データ記憶媒体のアクセス特典データと、地表近くのデータ記憶媒体から地表近くのアンテナに読み込まれた管理データは、データベースに記憶された組合せデータと対照され、合致しない場合はアクセスが拒絶される。
【００２１】
包括的な監視を提供するため、好適には、非譲渡性データ記憶媒体のアクセス特典データと、地表近くのデータ記憶媒体の管理データは、利用者が最初にスポーツ施設に入る時に組み合わせて記憶する。更に、非譲渡性データ記憶媒体のアクセス特典データと地表近くのデータ記憶媒体の管理データは、各利用者が将来入場する際に読み込まれ、最初の入場の際に記憶された組合せデータと対照される。
【００２２】
アクセス構造は、様々な形態で人を個別化する手段を備えている。例えば、入り口を回転バーのような機械的なブロック手段でブロックできるが、交通信号灯に似た装置のような音や光信号手段によってもブロックできる。そのような音ないし光の信号手段は、入り口ないし職員がモニタする端末装置に設定できる。
【００２３】
本発明は、特に複数のスキーリフトなどの人員輸送施設からなるウィンタースポーツ施設を目的としている。そこで、最初及び各々の後のアクセスは、ウィンタースポーツ施設の同じないし別の人員輸送施設への最初のアクセスないし後のアクセスとなる。
【発明の効果】
【００２４】
スポーツ用品は一般に、各々個別の利用者に適合している。例えば、スキーの対の長さは一般に利用者の身長に依存し、スキーのバインダーは利用者の靴のサイズに適合している。したがって、本発明は、スポーツ用品が、特典を有する利用者から未承認の人に渡され、不正に使用された非譲渡性データ記憶媒体が次回に無価値になる可能性を防ぐ。更に、本発明の方法は、追加の加工時間を必要とせず、全自動化できる。更にスポーツ用品に組み込むデータ記憶媒体のコストは、最近では無視できるほど小さい。
【発明を実施するための最良の形態】
【００２５】
本発明の実施例を添付の図面を参考にして以下に詳細に説明するが、唯一の図面の図１は、ウィンタースポーツ施設のアクセスないし入り口区域を示している。
【００２６】
図に示すように、スキーリフトのような施設の入り口１には、その場に回転バー４の正面に配置されたアンテナ３（想像線で示す）を含む読み取り手段２が設置されている。利用者が入ろうとすると、読み取り機２を使用して、利用者が装着した腕時計などに配置した非譲渡性データ記憶媒体５からアクセス特典データを読み取る。
【００２７】
別の非接触型データ記憶媒体６はスポーツ用品７、すなわち地表近くの利用者のスキーに設けている。そのような他のデータ記憶媒体６は、データ記憶媒体６に埋め込まれた電子チップの連続番号などの管理データを記憶している。
【００２８】
スキー７のような地表近くのスポーツ用品に埋め込まれたデータ記憶媒体６は、回転バー４の正面の入り口１の地表に敷かれたマット９などに配置されたアンテナにより読み取られる。
【００２９】
非接触型データ記憶媒体５が有効なアクセス特典データを記憶していれば、回転バー４は最初に入いる際に開放される。最初の入場と同時に、プログラム論理を使用したコンピュータは、非接触型データ記憶媒体５から読み取り機２により読み取ったアクセス特典データと、データ記憶媒体６からアンテナ８を介して読み取った制御データとを組み合わせ、組合せデータをデータベースなどの手段に記憶する。プログラム論理は、利用者の名前などの利用者固有データなどのデータをデータ記憶媒体６に埋め込まれたチップの連続番号と組み合わせるのに適したものとする。
【００３０】
後にアクセスするたびに、アンテナ３を用いて非譲渡性データ記憶媒体５のアクセス特典データが読み取られ、地表近くのデータ記憶媒体６の管理データはアンテナ８を用いて読み取られ、それらのデータはコンピュータにより、最初の入場で記憶された組合せデータと対照される。アクセス特典データが有効で、後の入場の際にデータ記憶媒体５とデータ記憶媒体６から読み取られたデータと組み合わせられた記憶されたデータが、最初の入場の際に組み合わせられ記憶されたものと合致すれば、入り口１の回転バー４は開くが、そうでなければ、入り口１はブロックされる。
【００３１】
図１で３’の想像線で示すように、非譲渡性データ記憶媒体５を読み取るのに使用するアンテナは地表まで延長して、地表近くのデータ記憶媒体６を読み取るアンテナを形成できる。更に地表近くのデータ記憶媒体６を読み取るアンテナは、例えば、側部で入り口１を区切るフレーム１０ないし柵１１の区域に配置してもよい。
【図面の簡単な説明】
【００３２】
【図１】本発明のスポーツ施設アクセス制御方法に係る装置を示す図。
【符号の説明】
【００３３】
１  入り口
２  読み取り機
３  アンテナ
４  回転バー
５  データ記憶媒体
６  データ記憶媒体
７  スキー
８  アンテナ
９  マット
１０  フレーム
１１  柵
【図１】
2008293497.tif 000003